(57)【要約】【課題】ユーザによって予め設定された出力条件を簡易な操作で変更できる画像データ出力装置を提供すること。【解決手段】選択部１８ａは、プレビュー表示の際に、出力条件記憶部１９ａに記憶された出力条件を変更する対象の、複数の画像データを選択する。ユーザが出力条件を変更すると、選択部１８ａによって選択された複数の画像データに対応して、ユーザが変更した出力条件を出力条件記憶部１９ａに再記憶する。【選択図】図１
2010147849.tif 000002
【特許請求の範囲】
【請求項１】
原稿載置台に載置された原稿束から自動原稿搬送部により搬送される原稿を読み取り、画像データを生成する読取部と、当該画像データを記憶する画像記憶部と、
前記画像記憶部に記憶された画像データに対応して、ユーザによって予め設定された出力条件を記憶する出力条件記憶部と、
前記出力条件記憶部に記憶された出力条件に基づく画像処理を施した、画像データのプレビュー表示を実行するプレビュー表示制御部と、
前記プレビュー表示の際に、前記出力条件記憶部に記憶された出力条件を変更する対象の、複数の画像データを選択する選択部とを備え、
前記選択された複数の画像データに対応して、変更した出力条件を前記出力条件記憶部に再記憶することを特徴とする画像データ出力装置。
【請求項２】
前記選択部は、前記画像記憶部に記憶された全画像データを一括して選択できることを特徴とする請求項１に記載の画像データ出力装置。
【請求項３】
前記原稿束の内の、プレビュー表示対象とする原稿の開始ページ及び終了ページを設定する設定部を備え、前記自動原稿搬送部により搬送された原稿のページ数をカウントし、前記開始ページに対応する原稿が前記読取部によって読み取られ、前記画像記憶部に記憶されると、前記設定された原稿の開始ページから終了ページに対応する、前記画像記憶部に記憶された画像データに対してプレビュー表示用の画像処理を施して自動的にプレビュー表示することを特徴とする請求項１又は２に記載の画像データ出力装置。
【発明の詳細な説明】
【技術分野】
【０００１】
本発明は、画像データを印刷等により出力する前に、予め設定された出力条件に基づいて、その印刷出力状態等を表示するプレビュー表示機能を備える画像データ出力装置に関し、特に、前記設定された出力条件を変更できる画像データ出力装置に関する。
【０００２】
複合機等の画像データ出力装置として、原稿を読み取る（スキャン）ことによって生成された当該原稿に係る画像データ（以下、画像データ）について、印刷や送信等により出力する前に、当該画像データをプレビュー表示する機能を備えるものがある。
【０００３】
ユーザは、プレビュー表示機能を利用すれば、原稿のスキャンが適切に実行されたか、また、ユーザが予め設定した出力条件、例えばモノクロ／カラー印刷、倍率が当該ユーザの意図した通りに適切に画像データに反映されているか否かを確認することができる。
【０００４】
上記のプレビュー表示による確認において、ユーザが予め設定した出力条件がユーザの意図したものでない場合、例えば、カラー印刷を意図していたのに誤ってモノクロ印刷を指定した場合、他にも、拡大印刷時の拡大率が大きすぎた場合には、印刷等により画像データを出力する前に、前記ユーザが予め設定した出力条件を、プレビュー表示されている画像データ毎に変更し、この変更結果をプレビュー表示により確認できる画像形成装置が提案されている（特許文献１参照）。
【特許文献１】特開２００４−２８２４３９号公報
【発明の開示】
【発明が解決しようとする課題】
【０００５】
特許文献１に開示の画像形成装置は、前記ユーザが予め設定した出力条件を、プレビュー表示されている画像データ毎に変更することができる。しかし、読み取られた全原稿の画像データ、又は、読み取られた原稿の画像データの中からユーザが所望する複数の画像データに対して適用される出力条件を一括して変更する場合には、出力条件の変更操作を画像データ毎に実行しなければならず、煩雑であった。
【０００６】
本発明は、上述のような実状に鑑みてなされたものであり、ユーザによって予め設定された出力条件を簡易な操作で変更できる画像データ出力装置を提供することを目的とする。
【課題を解決するための手段】
【０００７】
第１の技術手段は、原稿載置台に載置された原稿束から自動原稿搬送部により搬送される原稿を読み取り、画像データを生成する読取部と、当該画像データを記憶する画像記憶部と、前記画像記憶部に記憶された画像データに対応して、ユーザによって予め設定された出力条件を記憶する出力条件記憶部と、前記出力条件記憶部に記憶された出力条件に基づく画像処理を施した、画像データのプレビュー表示を実行するプレビュー表示制御部と、前記プレビュー表示の際に、前記出力条件記憶部に記憶された出力条件を変更する対象の、複数の画像データを選択する選択部とを備え、前記選択された複数の画像データに対応して、変更した出力条件を前記出力条件記憶部に再記憶することを特徴とする画像データ出力装置である。
【０００８】
第２の技術手段は、第１の技術手段において、前記選択部は、前記画像記憶部に記憶された全画像データを一括して選択できることを特徴とするものである。
【０００９】
第３の技術手段は、第１又は第２の技術手段において、前記原稿束の内の、プレビュー表示対象とする原稿の開始ページ及び終了ページを設定する設定部を備え、前記自動原稿搬送部により搬送された原稿のページ数をカウントし、前記開始ページに対応する原稿が前記読取部によって読み取られ、前記画像記憶部に記憶されると、前記設定された原稿の開始ページから終了ページに対応する、前記画像記憶部に記憶された画像データに対してプレビュー表示用の画像処理を施して自動的にプレビュー表示することを特徴とするものである。
【発明の効果】
【００１０】
本発明によれば、プレビュー表示の際に、ユーザが所望する複数の画像データに対して適用される、予め設定された出力条件を簡単に一括変更することができる。
【発明を実施するための最良の形態】
【００１１】
本発明の一実施形態に係る画像データ出力装置の概略について、図１〜図３を用いて説明する。
図１は、本発明の一実施形態に係る画像データ出力装置の構成例を示す概略ブロック図で、図示例の画像データ出力装置は、複写動作等に用いられる印刷機能やファクシミリ送信機能等を有する複合機として構成されている。
図２は、図１の複合機におけるタッチパネル及びキー操作部の一例を示す外観図である。
図３は、画像データの記憶方式を説明するためのテーブルを示した図である。
【００１２】
複合機として構成された画像データ出力装置（以下、デジタル複合機）１は、タッチパネル１０、パネル制御部１１、記録部１２、読取部（スキャナ）１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、及びモデム２４を備えている。
【００１３】
タッチパネル１０又はキー操作部２０は、原稿の読み取り処理、印刷処理等の処理の中から所望の処理を選択するための操作、その処理を開始するための操作、各処理を実行する際に必要となる設定を行うための操作（選択操作又は入力操作）等を受け付ける。タッチパネル１０及びキー操作部２０は、図２で例示するような操作パネル３０として構成してもよい。キー操作部２０は、原稿読込開始等の指示を受付けるスタートキー２０ａ、テンキー２０ｂ等、操作するために必要なキー群を備えている。
【００１４】
タッチパネル１０は、液晶ディスプレイ等の表示部とタッチセンサ等の操作受付部として機能する。
パネル制御部１１は、タッチパネル１０における表示や操作受付部の制御を行う。
【００１５】
タッチパネル１０へ表示される、ＧＵＩ（Graphical User Interface）画像は、パネル制御部１１の内部メモリ又は制御用メモリ１９に、読み出し可能に格納される。
【００１６】
タッチパネル１０には、プレビュー画像生成部１６ａで生成され、パネル制御部１１に出力されたプレビュー画像が、パネル制御部１１によりＧＵＩ画像に組み込まれた状態で表示される。
【００１７】
記録部１２は、電子写真方式等の印刷方式を採用したプリンタ装置を備え、画像記憶部１５に記憶された画像データ等を、記録用紙に記録（つまり印刷）する。
【００１８】
読取部１３は、図示しない原稿載置台に載置された原稿束から原稿を一枚ずつ搬送する自動原稿搬送部（ＡＤＦ：Auto Document Feeder）１３ａを有しており、ＡＤＦ１３ａにより搬送される原稿をＣＣＤ（Charge Coupled Device）等を用いて１ページずつ読み取り、読み取った原稿に係るＲＧＢ（Ｒ：赤、Ｇ：緑、Ｂ：青）の画像データを生成し、画像処理部１６に出力する。また、読取部１３は、図示しないカウンタを有しており、このカウンタやＡＤＦ１３ａの用紙検知センサ等を用いて、何ページ目の原稿を読み取っているかや、原稿の総ページ数をカウントできるようになっている。
【００１９】
フォーマット変換部１４は、読み取られた画像データや外部から受信した画像データを、ＰＤＦ（Portable Document Format）等の所定のファイルフォーマットに変換する。
【００２０】
画像記憶部１５は、ハードディスク等で構成され、読取部１３から画像処理部１６等を経た画像データを記憶する。このとき、前記画像データの記憶と共に、前述した読取部１３のカウンタによってカウントされる原稿ページの番号と原稿の画像データ名とを対応付けて記憶する。
【００２１】
画像処理部１６は、対象となる画像データに対して様々な画像処理を行う。例えば、読取部１３からのＲＧＢ画像データに対するＡ／Ｄ変換等を含む原稿読取時の画像処理（原稿画像処理）を行う。原稿画像処理後の画像データは、画像記憶部１５に記憶される。また、画像処理部１６は、読み取って画像記憶部１５に記憶された画像データの印刷や外部装置への送信の際（出力の際）、設定された出力条件等に基づき、当該画像データに印刷用画像処理やファックス送信用画像処理を行う。
【００２２】
また、画像処理部１６は、プレビュー画像生成部（プレビュー表示制御部）１６ａを有する。
プレビュー画像生成部１６ａは、画像記憶部１５に記憶されている画像データに、プレビュー表示用画像処理を行い、プレビュー画像を生成する。
【００２３】
プレビュー表示用画像処理には、タッチパネル１０の表示特性に基づいて画像データを変換する色補正処理や、印刷倍率に応じた画像拡大／縮小処理等がある。生成されたプレビュー画像はパネル制御部１１に出力され、タッチパネル１０に表示されるよう制御される。
【００２４】
符号化／復号部１７は、画像データを符号化により圧縮すると共に、符号化画像データを元の画像データに復号（伸張）する。符号化／復号部１７では、ファイリングで一般的に使用されているＪＰＥＧ（Joint Photographic Experts Group）等、用途に応じた符号化方式を用いることができる。
【００２５】
メイン制御部１８は、ＣＰＵ（Central Processing Unit）等で構成され、制御用メモリ１９は、ＲＯＭ（Read Only Memory）等の不揮発性メモリ等で構成される。制御用メモリ１９内にはメイン制御部１８から読み出し可能なように、プログラム（ファームウェア）と各種設定データとが格納されている。また、制御用バッファ２２はＲＡＭ（Random Access Memory）等の揮発性メモリで構成される。
【００２６】
上述のプログラムは、本発明に係る原稿の読み取りに係る命令をはじめ、プレビュー画像の生成、表示に係る命令等の、メイン制御部１８が実行する制御プログラムである。このプログラムは、メイン制御部１８により、制御用バッファ２２上に展開され、制御用バッファ２２を一時保存（作業）用のデータ領域として、各種設定データを適宜参照しながら実行される。
【００２７】
また、メイン制御部１８は、選択部１８ａ、出力条件変更部１８ｂを有する。
選択部１８ａは、出力条件記憶部１９ａに記憶された出力条件を変更する対象の、複数の画像データを選択する処理を実行する。
【００２８】
出力条件変更部１８ｂは、選択部１８ａによって選択された、複数の画像データに対応して、変更した出力条件を出力条件記憶部１９ａに再記憶する。
【００２９】
また、制御用メモリ１９は、出力条件記憶部１９ａを有する。
出力条件記憶部１９ａは、画像記憶部１５に記憶された画像データに対応して、ユーザによって予め設定された、モノクロ／カラー、印刷倍率、所謂Ｎ−ｕｐ印刷等の出力条件を記憶する。
具体的には、図３の原稿記憶テーブル５１に示したように、原稿データ名に対応して、当該原稿に対して設定された出力条件が記憶される。ここでは、３５枚の原稿からなる原稿束を読み取った場合の原稿記憶テーブルを示している。
【００３０】
ＬＡＮ制御部２１は、ＬＡＮと接続され、インターネット経由による電子メールデータの通信及びインターネットファクシミリ（インターネットＦＡＸ）の通信を行う。
【００３１】
モデム２４は、ファクシミリ通信が可能なファクシミリモデムから構成されており、電話回線と接続され、またＮＣＵ２３と直接的に接続されている。ＮＣＵ２３は、必要に応じてモデム２４を公衆電話回線網と接続する。
【００３２】
以下、図４〜図７を参照して、本発明に係るプレビュー表示時の出力条件の変更について詳細に説明する。
図４は、デジタル複合機１の標準画面の例を示す図である。図４では、デジタル複合機１においてタッチパネル１０に表示されるＧＵＩ画像の一例（ＧＵＩ画像４０とする）を示している。ＧＵＩ画像４０は、デジタル複合機１の電源が投入されたり、デジタル複合機１がリセットされたときにタッチパネル１０に表示される。このＧＵＩ画像４０では、デジタル複合機１の動作モードを選択するために、コピーモード選択キー４１、イメージ送信モード選択キー４２、ドキュメントファイリングモード選択キー４３が表示されている。以下の説明では、例えば、ユーザが、コピーモードを選択した場合について説明する。
【００３３】
ＧＵＩ画像４０では、コピーを行うときの出力条件設定が可能となっており、例えば、カラーコピー／モノクロコピーの設定を行うためのカラーモードコピーキー４４、パンチやステープル等の仕上げ処理の設定を行うための仕上げキー、その他コピー時の詳細設定を行うための特別機能キー４５等が表示されている。
また、読取部１３で読み取った原稿に係る画像データについて、設定された出力条件に基づく印刷状態を、タッチパネル１０にプレビュー表示するためのプレビュー確認キー４６が表示されている。
【００３４】
ユーザは、ＧＵＩ画像４０を介して様々な出力条件を設定する。ここでは、出力条件として、フルカラーのカラーモードコピーを選択したとする。
ユーザが、プレビュー確認キー４６、次いで、スタートキー２０ａを操作すると、読取部１３は、原稿の読み取りを開始する。
【００３５】
その後、読取部１３が、ＡＤＦ１３ａにより一枚ずつ搬送される原稿を順次読み取り画像データを生成し、画像記憶部１５に記憶する。前記記憶と共に、読取部１３のカウンタによってカウントされる原稿ページの番号と、原稿の画像データ名と、設定された出力条件とを対応付けて、出力条件記憶部１９ａの原稿記憶テーブル５１に記憶する。
【００３６】
また、プレビュー画像生成部１６は、前述したように、前記画像データからプレビュー画像用の画像データを生成する。そして、当該プレビュー画像用の画像データがタッチパネル１０に表示される。
【００３７】
図５は、プレビュー表示時に表示される画面の例を示す図である。
ＧＵＩ画像４７は、プレビュー表示画面であり、動作状態メッセージ４８として、「プレビュー表示」を行っていることを表示している。
ＧＵＩ画像４７は、プレビュー画像４９をＧＵＩ画像に組み込んで表示したものであり、プレビュー画像４９は、設定された出力条件に基づく画像処理が施された画像データが表示された例を示している。
【００３８】
ＧＵＩ画像４７には、現在のページを原稿ページで示す現ページ情報５０と、原稿ページ単位でページ切換可能なページ切換キー５１と、原稿の総ページ数を原稿ページで示す総ページ数情報５２が表示されている。
ユーザがページ切換キー５１を操作すれば、次／前の原稿に係る画像データがプレビュー表示される。
【００３９】
ＧＵＩ画像４７には、さらに、拡大／縮小キー５３、表示の回転キー５４等が表示されており、ユーザはこれらを適宜操作することによって、プレビュー画像４９を拡大／縮小或いは回転させて確認することができる。
また、ＧＵＩ画像４７には、仕上がり状態の表示を行わせるための仕上がり表示キー５５も表示されており、ユーザはこのキー５５を操作することによって、印刷後の仕上がり状態をプレビューとして確認することができる。例えば、出力条件としてパンチ孔形成を設定した場合、仕上がり情報として、印刷した用紙にパンチ穴をあけた状態を示すパンチ情報５６がプレビュー画像とともに表示される。
【００４０】
ＧＵＩ画像４７には、さらに、プレビュー画像４９や仕上がり情報（パンチ情報５６等）を確認することで、設定されている出力条件の変更を実行するための全設定変更キー５７、部分設定変更キー５８が表示されている。
全設定変更キー５７は、全画像データについての出力条件を変更する場合に操作され、部分設定変更キー５８は、一部の画像データについて出力条件を変更する場合に操作される。
【００４１】
ＧＵＩ画像４７には、さらに、コピー開始キー５９が表示されており、ユーザはこのコピー開始キー５９を操作することによって、設定された出力条件に基づきコピー（印刷）させることができる。
【００４２】
図６は、図５のＧＵＩ画像４７において、全設定変更キー５７が押下された後に、選択部１８ａによって表示される出力条件の変更画面の例を示す図である。
ＧＵＩ画像６０からは、様々な出力条件の変更が可能となっており、例えば、カラーモードコピーキー４４を押下することで、カラーモードコピー／モノクロモードコピーを変更することができる。
各種キーの操作等により出力条件が変更された後、変更した出力条件でのプレビュー表示を開始するための再プレビューキー６１が押下されると、変更後の出力条件が出力条件記憶部１９ａに再記憶される。
【００４３】
ここで、ユーザが、例えば、図６に示す変更画面のＧＵＩ画像６０の各キーを操作して、出力条件を“カラーモードコピー”から“モノクロモードコピー”に変更したとする。
すると、選択部１８ａは、図３の原稿記憶テーブル５１を参照し、出力条件記憶部１９ａに記憶された出力条件を変更する対象の全画像データである“画像データ１”〜“画像データ３５”を選択する。
そして、出力条件変更部１８ｂは、図３の原稿記憶テーブル５１における“画像データ１”〜“画像データ３５”に対応する“カラーモードコピー”を“モノクロモードコピー”に変更し、再記憶する。
【００４４】
なお、ＧＵＩ画像６０には、他にも、出力条件の変更をキャンセルするためのキャンセルキー６２と、原稿のうちそれまでに読み取った全範囲又は指定された範囲を再度読み取り、設定した又は変更した出力条件でプレビュー表示を開始するための再読取キー６３が表示されている。
【００４５】
次に、出力条件を変更したい画像データを選択する場合について説明する。この場合、図５に示すＧＵＩ画像４７に表示されている部分設定変更キー５８を操作する。
図７は、他の変更画面のＧＵＩ画像６５の例を示す図で、図５のＧＵＩ画像４７において、部分設定変更キー５８が押下された後に、選択部１８ａによって表示される。
【００４６】
ポップアップ画像６７では、出力条件を変更したい画像データに係る原稿をページ単位で選択することができ、変更開始ページ及び変更終了ページの入力欄６７ａ，６７ｂと、前記ページ入力後、図６に示す画面に遷移するためのＯＫキー６７ｃが表示されている。ユーザは、変更開始ページの入力欄６７ａ及び変更終了ページの入力欄６７ｂに、キー操作部２０のテンキー２０ｂを介して、出力条件を変更したい画像データに係る原稿の開始ページ及び終了ページを入力し、ＯＫボタン６７ｃを押下することで出力条件を変更したい画像データに係る原稿をページ単位で指定することができる。
【００４７】
ユーザが、例えば、ポップアップ画像６７の入力欄６７ａ，６７ｂにそれぞれ、“１”、“５”を入力し、ＯＫボタン６７ｃを操作したとする。
すると、選択部１８ａは、図３の原稿記憶テーブル５１を参照し、出力条件記憶部１９ａに記憶された出力条件を変更する対象の、“画像データ１”〜“画像データ５”を選択する。
【００４８】
そして、ユーザが、ＯＫボタン６７ｃの操作により表示される図６に示す出力条件の変更画面のＧＵＩ画像６０の各キーを操作して、出力条件を変更する。ここでは、“カラーモードコピー”から“モノクロモードコピー”に変更したとする。
すると、出力条件変更部１８ｂは、図３の原稿記憶テーブル５１における“画像データ１”〜“画像データ５”に対応する“カラーモードコピー”を“モノクロモードコピー”に変更し、再記憶する。
【００４９】
なお、例えば、“画像データ１”〜“画像データ５”、“画像データ１１”〜“画像データ１５”のように複数範囲で、画像データを選択できるようにしてもよい。また、“画像データ１”、“画像データ３”、“画像データ５”のように、１ページ毎に画像データを選択できるようにしてもよい。
【００５０】
次に、デジタル複合機１において、コピー処理を例に挙げて、プレビュー表示及び印刷処理を実行する場合の処理について、図８を参照しながら説明する。図８は、本発明に係るプレビュー表示及び印刷処理を実行する手順の一例を説明するためのフロー図である。
【００５１】
デジタル複合機１は、電源がＯＮになった場合、図３のＧＵＩ画像４０をタッチパネル１０に表示し、出力条件を設定させる（ステップＳ１）。
【００５２】
そして、ＧＵＩ画像４０のプレビュー確認キー４６をＯＮにしてプレビュー表示が指示され（ステップＳ２）、更に、スタートキー２０ａ（図２参照）を押下して原稿の読取り開始が指示されると（ステップＳ３）、読取部１３は、載置された原稿の読み取りを開始し、当該原稿の画像データを生成する（ステップＳ４）。
【００５３】
次に、全原稿の読み取りが終了すると、プレビュー画像生成部１６ａは、画像データのプレビュー画像を表示する（ステップＳ５）。
そして、図５に示すＧＵＩ画像６２の全設定変更キー５７、部分設定変更キー５８が操作されて、図６に示すＧＵＩ画像６０等を介して出力条件が変更された場合には（ステップＳ６，ＹＥＳ）、出力条件変更部１８ｂは、変更された出力条件を出力条件記憶部１９ａに再記憶する（ステップＳ７）。
【００５４】
出力条件が変更されずに（ステップＳ６，ＮＯ）、図５に示すＧＵＩ画像４７のコピー開始キー５９が操作されると（ステップＳ８，ＹＥＳ）、記録部１２は、当該画像データに対して印刷処理を実行する（ステップＳ９）。
【００５５】
このように、読み取られた原稿の画像データに対して適用される、ユーザによって予め設定された出力条件を一括して変更することができるので、前記出力条件を簡易な操作で変更でき、ユーザの利便性が向上する。
【００５６】
実施例では、印刷出力の例で説明したが、出力形態はこれに限られず、電子ファイリング用の出力やＦＡＸ送信等の送信出力も行うことができる。
【００５７】
なお、本実施例では、全原稿の読取りが終了した後に、プレビュー表示を実行したが、プレビュー表示する原稿の開始ページ、終了ページを指定できるようにしてもよい。
上記のプレビュー表示を実現するためには、前記原稿束の内の、プレビュー表示対象とする原稿の開始ページ及び終了ページを設定する設定部を設ける。
そして、自動原稿搬送部１３ａにより搬送された原稿のページ数をカウントし、前記開始ページに対応する原稿が読取部１３によって読み取られ、画像記憶部１５に記憶されると、プレビュー画像生成部１６ａは、前記設定された原稿の開始ページから終了ページに対応する、画像記憶部１５に記憶された画像データに対してプレビュー表示用の画像処理を施して自動的にプレビュー表示すればよい。
【図面の簡単な説明】
【００５８】
【図１】本発明の一実施形態に係る画像データ出力装置の構成例を示す概略ブロック図である。
【図２】タッチパネル及びキー操作部の一例を示す外観図である。
【図３】画像データの記憶方式を説明するためのテーブルを示した図である。
【図４】デジタル複合機の標準画面の例を示す図である。
【図５】デジタル複合機のプレビュー表示時に表示される画面の例を示す図である。
【図６】出力条件の変更画面の例を示す図である。
【図７】デジタル複合機の他の変更画面の例を示す図である。
【図８】デジタル複合機のプレビュー表示及び印刷処理を実行する手順の一例を説明するためのフロー図である。
【符号の説明】
【００５９】
１…デジタル複合機、１０…タッチパネル、１１…パネル制御部、１２…記録部、１３…読取部、１３ａ…自動原稿搬送部、１４…フォーマット変換部、１５…画像記憶部、１６…画像処理部、１６ａ…プレビュー画像生成部、１７…符号化／復号部、１８…メイン制御部、１８ａ…選択部、１８ｂ…出力条件変更部、１９…制御用メモリ、１９ａ…出力条件記憶部、２０…キー操作部、２０ａ…スタートキー、２０ｂ…テンキー、２１…ＬＡＮ制御部、２２…制御用バッファ、２３…ＮＣＵ、２４…モデム、３０…操作パネル。
【図１】
2010147849.tif 000003
【図２】
2010147849.tif 000004
【図３】
2010147849.tif 000005
【図４】
2010147849.tif 000006
【図５】
2010147849.tif 000007
【図６】
2010147849.tif 000008
【図７】
2010147849.tif 000009
【図８】
2010147849.tif 000010